(57)【要約】【課題】  安価にセキュリティ性の高い書類管理を出来るシステム（画像形成装置）を提供すること。【解決手段】  データの読み出しが可能で、そのデータを電波によって送受信するＲＦＩＤタグを付属してなるＲＦＩＤタグつき記録媒体を収納するカセット２４０，２４１と、ＲＦＩＤの情報を読み込むデータ読み出し部２７３とを有し、画像形成を行う際には少なくとも一枚はカセット２４０，２４１の用紙に画像を形成する。【選択図】  図１
2006243140.tif 000002
【特許請求の範囲】
【請求項１】
データの読み出しが可能で、そのデータを電波によって送受信するＲＦＩＤタグを付属してなるＲＦＩＤタグつき記録媒体を収納する記録媒体収納手段と、
前記ＲＦＩＤの情報を読み込む手段とを有し、
画像形成を行う際には少なくとも一枚は前記記録媒体収納手段の用紙に画像を形成することを特徴とする画像形成装置。
【請求項２】
前記記録媒体のＲＦＩＤタグ内の情報を読み出す手段が前記記録媒体収納手段に搭載されていることを特徴とする請求項１に記載の画像形成装置。
【請求項３】
画像形成を行う前記記録媒体が複数枚で構成される場合、一枚目に前記記録媒体収納手段に収納された記録媒体を使用することを特徴とする請求項１に記載の画像形成装置。
【請求項４】
画像形成を行う前記記録媒体が複数枚で構成される場合、最終ページに前記記録媒体収納手段に収納された記録媒体を使用することを特徴とする請求項１に記載の画像形成装置。
【請求項５】
画像形成を行う前記記録媒体が複数枚で構成される場合、偶数ページに前記記録媒体収納手段に収納された記録媒体を使用することを特徴とする請求項１に記載の画像形成装置。
【請求項６】
画像形成を行う前記記録媒体が複数枚で構成される場合、奇数ページに前記記録媒体収納手段に収納された記録媒体を使用することを特徴とする請求項１に記載の画像形成装置。
【請求項７】
画像形成を行う前記記録媒体が複数枚で構成される場合、前記記録媒体収納手段に収納された記録媒体を何枚目（何ページ目）に使用するかをユーザが指定することが可能な請求項１に記載の画像形成装置。
【請求項８】
前記ＲＦＩＤの情報を読み込む手段から読み込んだ情報と画像データの情報を管理するデータベース（メモリ手段）と、
前記ＲＦＩＤの情報を読み込む第二の読み込み手段を有し、
前記第二の読み込み手段から読み取った情報にもとづき、データベース上から画像データ情報を引き出して画像形成を行うことを特徴とする請求項１に記載の画像形成装置。
【請求項９】
前記ＲＦＩＤの情報を読み込む第二の読み込み手段が画像読み込み部（スキャナ部）に搭載されることを特徴とする請求項８に記載の画像形成装置。
【請求項１０】
前記ＲＦＩＤの情報を読み込む第二の読み込み手段で読み込まれた情報からデータベース上に画像データがあるかどうかの検索を行い、無い場合には前記画像読み込み部で読み込んだ画像データを出力することを特徴とする請求項９に記載の画像形成装置。
【請求項１１】
前記データベースは複写機内に搭載されたメモリ（格納）手段もしくはネットワークなどで接続されたメモリ（格納）手段であることを特徴とする請求項８に記載の画像形成装置。
【発明の詳細な説明】
【技術分野】
【０００１】
本発明は、複写機、プリンタ、ＦＡＸ等の画像形成装置に関し、電子写真方式あるいは静電記録方式等により形成された像担持体上のトナー像を記録媒体に転写電界を与えて画像を得る画像形成装置、またはインクジェット記録方式によって直接記録媒体に画像を形成する画像記録装置等、画像形成全般に関する。
【背景技術】
【０００２】
近年、書類を電子情報化して管理するシステムが普及し始めている。例えばこれは、ネットワーク上に繋がれたサーバもしくは画像形成装置内のメモリ手段に画像情報を保存しておき、必要な時に画像形成装置において出力するシステムである。書類の管理をするにあたっては書類を識別（検索）をする必要がある。
【０００３】
書類を検索する手段として以下のような方法が挙げられる。
【０００４】
コンピュータ、画像形成装置の操作部からの操作で検索する。バーコード、番号（数字）などの視覚的に識別する手段を形成する。アドオンなどを用いて画像データに識別情報を重ね合わせて画像を形成する。
【０００５】
上記の中で操作部等により検索する方法においては、ファイル電子化した情報の名前、保存先を覚えておく必要がある為、膨大なデータを管理するにはあまり適していない。また、バーコードや番号を印刷する場合やアドオンなどにより画像を重ね合わせる場合には安価に構成することが出来るが印刷するだけのスペースを書類上に設ける必要がある。さらには、物の表面に付加するため情報が付加されている個所が汚れたりすると読み取りが不可能となり管理が困難になるといった問題がある。また、バーコードの場合、情報の容量に限界があり、多くの情報を格納することには適さないという問題がある。
【０００６】
一方、個別情報を電子的に保持して電磁誘導により非接触で情報伝達するＩＤ素子（ＲＦＩＤ：Ｒａｄｉｏ  Ｆｒｅｑｕｅｎｃｙ  Ｉｄｅｔｉｆｉｃａｔｉｏｎ）技術が開発され、物の識別管理の為に応用され始めている。ＩＤ素子を用いた個体認識方式は、上記のバーコードの欠点に対し、データ記憶容量が比較的多い、電磁誘導による情報伝達のため、物の意匠に制約を加えることがない、表面が汚れていても読み取りには影響しないといった利点がある。
【０００７】
さらに、その応用例として記録媒体に無線通信で送受信可能なＲＦＩＤタグを付けたものが提案されている。
【特許文献１】特開２００２−１２０４７５号公報
【発明の開示】
【発明が解決しようとする課題】
【０００８】
表面が汚れていても読み取りには影響を及ぼさないようにする、スキャンすることで原稿を傷めないようにするなどの観点から、ＲＦＩＤ素子が搭載された記録媒体に画像を形成し、複写を行う際はＲＦＩＤ素子が搭載された記録媒体の情報を画像形成装置の読み取り部に搭載されたＩＤ情報読み取り手段で読み取り、その情報にもとづき、画像形成装置内もしくはネットワーク等を介して接続されたサーバ上の検索手段からメモリ手段に保存されている画像データを検索し、画像形成を行うシステムが考えられている。
【０００９】
しかしながら、ＲＦＩＤ素子が搭載された記録媒体は、まだ割高である為、複数枚で構成される原稿のすべてのページにＲＦＩＤが搭載された記録媒体を使用するのは非常にコストがかかってしまう。またセキュリティの観点で考えると、どこにＲＦＩＤが搭載された記録媒体が使用されているかをユーザがわからないようにすることも重要である。
【００１０】
そこで、本発明の目的は、安価にセキュリティ性の高い書類管理を出来るシステム（画像形成装置）を提供することにある。
【課題を解決するための手段】
【００１１】
本発明は、このような目的を達成するために、データの読み出しが可能で、そのデータを電波によって送受信するＲＦＩＤタグを付属してなるＲＦＩＤタグつき記録媒体を収納する記録媒体収納手段と、前記ＲＦＩＤの情報を読み込む手段とを有し画像形成を行う際には少なくとも一枚は前記記録媒体収納手段の用紙に画像を形成することを特徴とするものである。
【００１２】
また請求項２に記載の発明は、請求項１に記載の発明において、前記記録媒体のＲＦＩＤタグ内の情報を読み出す手段が前記記録媒体収納手段に搭載されていることを特徴とするものである。
【００１３】
また請求項３に記載の発明は、請求項１に記載の発明において、画像形成を行う前記記録媒体が複数枚で構成される場合、一枚目に前記記録媒体収納手段に収納された記録媒体を使用することを特徴とする。
【００１４】
また請求項４に記載の発明は、請求項１に記載の発明において、画像形成を行う前記記録媒体が複数枚で構成される場合、最終ページに前記記録媒体収納手段に収納された記録媒体を使用することを特徴とする。
【００１５】
また請求項５に記載の発明は、請求項１に記載の発明において、画像形成を行う前記記録媒体が複数枚で構成される場合、偶数ページに前記記録媒体収納手段に収納された記録媒体を使用することを特徴とする。
【００１６】
また請求項６に記載の発明は、請求項１に記載の発明において、画像形成を行う前記記録媒体が複数枚で構成される場合、奇数ページに前記記録媒体収納手段に収納された記録媒体を使用することを特徴とする。
【００１７】
また請求項７に記載の発明は、請求項１に記載の発明において、画像形成を行う前記記録媒体が複数枚で構成される場合、前記記録媒体収納手段に収納された記録媒体を何枚目（何ページ目）に使用するかをユーザが指定することができることを特徴とする。
【００１８】
また請求項８に記載の発明は、請求項１に記載の発明において、前記ＲＦＩＤの情報を読み込む手段から読み込んだ情報と画像データの情報を管理するデータベース（メモリ手段）と、前記ＲＦＩＤの情報を読み込む第二の読み込み手段を有し、前記第二の読み込み手段から読み取った情報にもとづき、データベース上から画像データ情報を引き出して画像形成を行うことを特徴とする。
【００１９】
また請求項９に記載の発明は、請求項８に記載の発明において、前記ＲＦＩＤの情報を読み込む第二の読み込み手段が画像読み込み部（スキャナ部）に搭載されることを特徴とする。
【００２０】
また請求項１０に記載の発明は、請求項９に記載の発明において、前記ＲＦＩＤの情報を読み込む第二の読み込み手段で読み込まれた情報からデータベース上に画像データがあるかどうかの検索を行い、無い場合には前記画像読み込み部で読み込んだ画像データを出力することを特徴とする。
【００２１】
また請求項１１に記載の発明は、請求項８に記載の発明において、前記データベースは複写機内に搭載されたメモリ（格納）手段もしくはネットワークなどで接続されたメモリ（格納）手段であることを特徴とする。
【発明の効果】
【００２２】
本発明によれば、ＲＦＩＤタグ付の記録媒体の情報読み取り手段を搭載した画像形成装置において、安価にセキュリティ性の高い書類管理を出来るシステム（画像形成装置）を実現できる。さらには、ＲＦＩＤタグが搭載された原稿の画像形成時においてはメモリ上の画像を出力する為、劣化のない画像を出力することができる。
【発明を実施するための最良の形態】
【００２３】
以下、本発明の好適な実施形態の一例としてデジタル複写機についての説明を行う。
【実施例１】
【００２４】
図１〜図５は本発明の一実施例である画像形成装置の構成を表す図面である。それらに基づき基本的な構成を説明する。
【００２５】
（カラーリーダ部の構成）
図２は画像形成装置の全体構成を示すものであり、図中の上部はカラーリーダ部の構成を示している。ここで、１０１はＣＣＤ、２１１はＣＣＤ１０１の実装された基板、２００は画像形成装置全体を制御する制御ボード、２１２はデジタル画像処理部、２０１は原稿台ガラス（プラテン）、２０２は原稿給紙装置（ＤＦ）（なお、この原稿給紙装置２０２の代わりに未図示の鏡面圧板を装着する構成もある）、２０３及び２０４は原稿を照明する光源（ハロゲンランプ又は蛍光灯）、２０５及び２０６は光源２０３・２０４の光を原稿に集光する反射傘、２０７〜２０９はミラー、２１０は原稿からの反射光又は投影光をＣＣＤ１０１上に集光するレンズ、２１４はハロゲンランプ２０３・２０４と反射傘２０５・２０６とミラー２０７を収容するキャリッジ、２１５はミラー２０８・２０９を収容するキャリッジ、２１３は他のデバイスとの外部インターフェース（Ｉ／Ｆ）である。なお、キャリッジ２１４は速度Ｖで、キャリッジ２１５は速度Ｖ／２で、ＣＣＤ１０１の電気的走査（主走査）方向に対して垂直方向に機械的に移動することによって、原稿の全面を走査（副走査）する。２１７はＲＦＩＤの情報を読み出すデータ読み出し部で詳細に関しては後述する。
【００２６】
また制御ボード２００は、図３に示すようにデジタル画像処理部２１２と外部Ｉ／Ｆ２１３、プリンタ制御Ｉ／Ｆ２５３に対してそれぞれ制御を行うための情報をやり取りするＩ／Ｆを持つシステム制御部３０１、システム制御部内のメモリ３０３、操作部３０２、によって構成されている。操作部３０２は図１１に示すように操作者による処理実行内容の入力や操作者に対する処理に関する情報及び警告等の通知のためのタッチパネル付き液晶により構成される。
【００２７】
また外部Ｉ／Ｆ２１３は、画像情報やコード情報などを画像処理装置外部とやり取りするためのインターフェースであり、具体的には図４に示すようにファクシミリ装置４０１やＬＡＮインターフェース装置４０２、外部大容量記憶装置４０３などを接続することが可能である。なお、ファクシミリ装置４０１やＬＡＮインターフェース装置４０２、外部大容量記憶装置４０３との画像情報およびコード情報のやり取り手続き制御については、各接続装置であるファクシミリ装置４０１、ＬＡＮインターフェース装置４０２や外部大容量記憶装置４０３と制御ボード２００のシステム制御部３０１との相互通信により行われる。
【００２８】
次にデジタル画像処理部２１２の詳細な説明を行う。図５はデジタル画像処理部２１２の詳細な構成を示すブロック図である。
【００２９】
原稿台ガラス上の原稿は光源２０３・２０４からの光を反射し、その反射光はＣＣＤ１０１に導かれて電気信号に変換される（ＣＣＤ１０１はカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤごとに並べたものでも構わないし、フィルタがオンチップ化又は、フィルタがＣＣＤと別構成になったものでも構わない）。
【００３０】
そして、その電気信号（アナログ画像信号）は画像処理部２１２に入力され、クランプ＆Ａｍｐ．＆Ｓ／Ｈ＆Ａ／Ｄ部１０２でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのディジタル信号に変換される。
【００３１】
続いてＲＧＢ信号はシェーディング部１０３で、シェーディング補正及び黒補正が施される。補正後のＲＧＢ信号はさらに、つなぎ＆ＭＴＦ補正補正＆原稿検知部１０４で、ＣＣＤ１０１が３ラインＣＣＤの場合、つなぎ処理はライン間の読取位置が異なるため、読取速度に応じてライン毎の遅延量を調整し、３ラインの読取位置が同じになるように信号タイミングを補正し、ＭＴＦ補正は読取速度や変倍率によって読取のＭＴＦが変るため、その変化を補正し、原稿検知は原稿台ガラス上の原稿を走査することにより原稿サイズを認識する。
【００３２】
読取位置タイミングが補正されたデジタル信号は入力マスキング部１０５によって、ＣＣＤ１０１の分光特性及び光源２０３・２０４及び反射傘２０５・２０６の分光特性を補正する。入力マスキング部１０５の出力は外部Ｉ／Ｆ信号との切り換え可能なセレクタ１０６に入力される。セレクタ１０６から出力された信号は色空間圧縮＆下地除去＆ＬＯＧ変換部１０７と下地除去部１１５に入力される。下地除去部１１５に入力された信号は下地除去された後、原稿中の原稿の黒い文字かどうかを判定する黒文字判定部１１６に入力され、原稿から黒文字信号を生成する。
【００３３】
また、もう一つのセレクタ１０６の出力が入力された色空間圧縮＆下地除去＆ＬＯＧ変換部１０７では、色空間圧縮は読み取った画像信号がプリンタで再現できる範囲に入っているかどうか判断し、入っている場合はそのまま、入っていない場合は画像信号をプリンタで再現できる範囲に入るように補正する。そして、下地除去処理を行い、ＬＯＧ変換でＲＧＢ信号からＣＭＹ信号に変換する。
【００３４】
そして、黒文字判定部１１６で生成された信号とタイミングを補正するため色空間圧縮＆下地除去＆ＬＯＧ変換部１０７の出力信号は遅延１０８でタイミングを調整される。この２種類の信号はモワレ除去部１０９でモワレが除去され、１１０で、主走査方向に変倍処理される。
【００３５】
１１１はＵＣＲ＆マスキング＆黒文字反映部で、変倍処理部で処理された信号はＣＭＹ信号はＵＣＲ処理でＣＭＹＫ信号が生成され、マスキング処理部でプリンタの出力にあった信号に補正されると共に黒文字判定部１１６で生成された判定信号がＣＭＹＫ信号にフィードバックされる。ＵＣＲ＆マスキング＆黒文字反映部１１１で処理された信号はγ補正部１１２で濃度調整された後フィルタ部１１３でスムージング又はエッジ処理される。
【００３６】
この際、γ補正部１１２の補正値はシステム制御部３０１からの設定により可変にできる構成になっており、濃度調整値をＣＭＹＫの各々設定し、その濃度を
可変に設定できる構成となっている。
【００３７】
（プリンタ部の構成）
続いて、プリンタ部の構成について説明する。図２の下部は本発明に係る画像形成装置の一例であるフルカラープリンタの要部構成図である。
【００３８】
像担持体としての感光体ドラム（以下、単に「感光体」という）２２５は作像系モータ０２３で矢印Ａの方向に回転できるように設けられている。感光体２２５の周囲には、一次帯電器２２１、露光装置２１８、黒現像ユニット２１９、カラー現像ユニット２２３、転写帯電器２２０、クリーナ装置２２２が配置されている。
【００３９】
前記黒現像装置２１９はモノクロ現像のための現像装置であり、感光体２２５上の潜像をＫのトナーで現像する。また前記カラー現像ユニット２２３はフルカラー現像のための３台の現像装置２２３Ｙ，２２３Ｍ，２２３Ｃからなる。現像装置２２３Ｙ，２２３Ｍ，２２３Ｃは、感光体２２５上の潜像をそれぞれＹ、Ｍ、Ｃのトナーで現像する。各色のトナーを現像する際には、現像器モータ０２０によって現像ユニット２２３を矢印Ｒ方向に回転させ、当該色の現像装置が感光体２２５に当接するように位置合わされる。
【００４０】
感光体２２５上に現像された各色のトナー像は、転写帯電器２２０によって中間転写体としてのベルト２２６に順次転写されて、４色のトナー像が重ね合わされる。ベルト２２６はローラ２２７，２２８，２２９に張架されている。これらのうち、ローラ２２７は作像系モータ０２３に結合されてベルト２２６を駆動する駆動ローラとして機能し、ローラ２２８はベルト２２６の張力を調節するテンションローラとして機能し、ローラ２２９は２次転写装置としての転写ローラ２３１のバックアップローラとして機能する。また転写ローラ脱着ユニット２５０は、転写ローラ２３１をベルト２２６に接着させる、若しくは離脱させるための駆動ユニットである。
【００４１】
ベルト２２６を挟んでローラ２２７と対向する位置にはベルトクリーナ２３２が設けられている。ベルトクリーナ脱着ユニット２６８は、ベルトクリーナ２３２をベルト２２６に接着させる、若しくは離脱させるための駆動ユニットである。ベルトクリーナ脱着ユニット２６８によってベルトクリーナ２３２が着方向に動作することによってベルト２２６上の残留トナーがブレードで掻き落とされる。
【００４２】
カセット２４０・２４１及び手差し給紙部２５３に格納された記録媒体はレジローラ２５５、及び給紙ローラ対２３５、２３６、２３７によってニップ部、つまり２次転写装置２３１とベルト２２６との当接部に給紙駆動モータ０２１を駆動源として給送される。なお、その際２次転写装置２３１は転写ローラ脱着ユニット２５０を当接方向に駆動させることによってベルト２２６に当接されている。
【００４３】
ベルト２２６上に形成されたトナー像はこのニップ部で記録媒体上に転写され、定着装置２３４で熱定着されて定着駆動モータ０２２により装置外へ排出される。なお、カセット２４０・２４１及び手差し給紙部２５３はそれぞれ、記録媒体の有無を検知するためのシートなし検センサ２４３、２４４、２４５を有している。また、カセット２４０・２４１及び手差し給紙部２５３はそれぞれ記録媒体のピックアップ不良を検知するための給紙センサ２４７、２４８、２４９を有している。
【００４４】
上記構成によるカラープリンタの基本的な画像形成動作に関しての説明を以下にする。ＲＦＩＤタグの記録媒体を使用した画像形成に関しては後述する。
まず給紙部における記録媒体の搬送動作について説明する。カセット２４０・２４１及び手差し給紙部２５３に格納された記録媒体はピックアップローラ２３８・２３９及び２５４により１枚毎に給紙パス２６６上に搬送される。給紙パス２６６上の記録媒体は給紙ローラ対２３５・２３６・２３７によりレジローラ２５５へと搬送されると、その直前のレジセンサ２５６により記録媒体の通過が検知される。
【００４５】
レジセンサ２５６により記録媒体の通過が検知された時点で、本実施例では適当な時間経過の後に一端搬送動作を中断する。その結果記録媒体は停止しているレジローラ２５５に突き当たり搬送が停止されるが、その際記録媒体の進行方向端部が搬送経路に対して垂直になるように位置固定がなされ、記録媒体の搬送方向が搬送経路に対してずれることにより斜行が発生している場合の給紙パス搬送方向補正がなされる。この処理を通常給紙レジ取りと称する。
【００４６】
給紙レジ取りは以降の記録媒体に対する画像形成方向の傾きを最小化するために必須となる。給紙レジ取り後、レジローラ２５５を起動させることにより、記録媒体は２次転写装置２３１へ供給される。
【００４７】
続いて２次転写装置２３１へ供給された記録媒体の上へ画像を形成する手順について説明する。まず、帯電装置２２１に電圧を印加して感光体２２５の表面を予定の帯電部電位で一様にマイナス帯電させる。続いて、帯電された感光体２２５上の画像部分が予定の露光部電位になるようにレーザースキャナからなる露光装置２１８で露光を行い潜像が形成される。露光装置２１８は画像信号に基づいてオン・オフすることにより、画像に対応した潜像を形成する。
【００４８】
黒現像装置２１９及びカラー現像装置２２３の現像ローラには各色毎に予め設定された現像バイアスが印加されており、前記潜像は該現像ローラの位置を通過時にトナーで現像され、トナー像として可視化される。トナー像は転写装置２２０でベルト２２６に転写され、さらに２次転写装置２３１で、給紙部より搬送された記録媒体に転写された後、定着搬送ベルト２３０を介して、定着装置２３４へと搬送される。定着装置２３４では、まずトナーの吸着力を補って画像乱れを防止するために、定着前帯電器２５１・２５２で帯電され、さらに定着ローラ２３３でトナー画像が熱定着された後、排紙フラッパ２５７により排紙パス２５８側に搬送パスを切替えられ、フィニッシャーユニット２８０へ送られる。
【００４９】
ここでフィニッシャーユニットの後処理工程が不要な記録媒体は装置内をそのまま搬送されそのまま排紙トレー２４２に排紙される。また、後処理工程、例えばステイプルが必要なモードの場合には、フィニッシャーユニット２８０内で画像形成が終了した記録媒体が必要枚数積載され整合ユニット２８１のより整合され、ステイプルユニット２８２でステイプル処理が行われ、その後に排紙トレイ２４２に排出される。
【００５０】
フルカラープリント時はベルト２２６上で４色のトナーが重ね合わされた後、記録媒体に転写される。感光体２２５上に残留したトナーは予備清掃装置（不図示）でトナーの帯電を、クリーニングしやすい状態にし、クリーナ装置２２２で除去・回収され、最後に、感光体２２５は除電装置（不図示）で一様に０ボルト付近まで除電されて、次の画像形成サイクルに備える。
【００５１】
上記カラープリンタの画像形成タイミングは、ベルト２２６上の所定位置を基準として制御されている。ベルト２２６は駆動ローラ２２７、テンションローラ２２８、バックアップローラ２２９からなるローラ類に掛け渡されていて、テンションローラ２２８によって所定の張力が与えられている。
【００５２】
駆動ローラ２２７およびローラ２２９の間には、基準位置を検知する反射型センサ２２４が配置されている。反射型センサ２２４はベルト２２６の外周面端部に設けられた反射テープ等のマーキングを検知してＩ−ｔｏｐ信号を出力する。
【００５３】
前記感光体２２５の外周の長さとベルト２２６の周長は、１：ｎ（ｎは整数）で表される整数比になっている。このように設定しておくと、ベルト２２６が１周する間に、感光体２２５が整数回転し、ベルト２２６周前とまったく同じ状態に戻るため、中間転写ベルト２２６上に４色を重ね合わせる際に（ベルトは４周回る）、感光体２２５の回転ムラによる色ズレを回避することが可能である。
【００５４】
上記のような中間転写方式の画像形成装置においては、Ｉ−ｔｏｐ信号を検知したのち、所定時間経過後にレーザースキャナからなる露光装置２１８で露光を開始する。また、前述したとおり、ベルト２２６が１周する間に、感光体１が整数回転し、ベルト１周前とまったく同じ状態に戻るため、ベルト２２６上では常に同じ位置にトナー像が形成される。用紙サイズによって、トナー像サイズも変化するが、ベルト２２６上にはトナー像が絶対にのらない範囲が存在する。
【００５５】
また、ベルト２２６は短い用紙サイズ画像の場合には、２画像分のトナー像を形成することが可能なベルト長になっており、特に４色重ね合わせたカラー画像を形成するために２枚分の画像をベルト４回転だけの時間で形成可能とすることによって生産性を向上させている。
【００５６】
引き続いて記録媒体の裏面に画像を形成する場合の動作について詳細に説明する。記録媒体の裏面に画像を形成する際には、まず記録媒体の表面への画像形成が先んじて実行される。その表面への画像形成動作については先に詳細に述べたのでここでは省略するが、表面のみの画像形成であれば、画像形成後定着器２３４でトナー画像を熱定着された後に排紙フラッパ２５７により排紙パス２５８側に搬送パスを切替えられそのまま排紙トレー２３５に排紙されるが、引き続いて裏面の画像形成を行う場合には排紙フラッパ２５７により裏面パス２５９側に搬送パスが切替えられ、それに併せた反転ローラ２６０の回転駆動によって記録媒体は両面反転パス２６１内に両面搬送モータ０２４により一旦搬送される。
【００５７】
その後記録媒体は、記録媒体の送り方向幅の分だけ両面反転パス２６１内に搬送された後に反転ローラの逆回転駆動及び両面パス搬送ローラ２６２の駆動により両面反転パスガイド２６９によって進行方向が切替えられ、表面に画像形成された画像面を下向きにして両面パス２６３に搬送される。
【００５８】
続いて記録媒体は両面パス２６３上を再給紙ローラ２６４に向って搬送されると、その直前の再給紙センサ２６５により記録媒体の通過が検知される。再給紙センサ２６５により記録媒体の通過が検知された時点で、本実施例では適当な時間経過の後に一端搬送動作を中断する。その結果記録媒体は停止している再給紙ローラ２６４に突き当たり搬送が一時停止されるが、その際記録媒体の進行方向端部が搬送経路に対して垂直になるように位置固定がなされ、記録媒体の搬送方向が再給紙パス内の搬送経路に対してずれることにより斜行が発生している場合の再給紙パス搬送方向補正がなされる。
【００５９】
この処理を通常再給紙レジ取りと称する。再給紙レジ取りは以降の記録媒体裏面に対する画像形成方向の傾きを最小化するために必須となる。再給紙レジ取り後、再給紙ローラ２６４を起動させることにより記録媒体は、表裏が逆転した状態で再度給紙パス２６６上に搬送される。その後の画像形成動作については先に述べた表面の画像形成動作と同じであるためここでは省略する。こうして表裏両面に画像形成がなされた記録媒体はそのまま排紙フラッパ２５７により排紙パス２５８側に搬送パスを切替えられ、そのまま排紙トレー２３５に排紙される。以上のような動作により、本実施例では操作者が記録媒体の表裏を改めてセットし直すことなく、自動的に記録媒体の両面へ画像形成を行うことが可能となっている。
【００６０】
（ＲＦＩＤに関する説明）
図１では、本発明を実施した画像形成装置の構成を示しており、記録媒体を収納するカセットデッキに記録媒体上のＲＦＩＤタグのデータを読み取るデータ読み出し部２７３が送受信機として記載されている。簡単に説明すると記録媒体上には埋め込まれたＲＦＩＤタグ６０１（図６）があり、画像読み取り装置側にはＲＦＩＤタグ６０１からの情報を読み出すためのリーダ部２１７（図２）を装備する。記録媒体を収納するカセット２４０、２４１に記録媒体が収納されて、カセット内の収納開閉検知センサ（図示せず）からの信号が閉じられたという情報からＲＦＩＤタグからデータを読み出す処理が動き出す。また、収納開閉検知センサが検知しなくても常時監視することにより記録媒体の情報はデータとして入手することが可能である。また、カセット２４０、２４１のようなものではなく、記録媒体が収納されたカセットデッキ、手差し給紙部２５３においても記録媒体を載置するところに前記データ読み出し用のリーダを設置することにより同様なことが可能である。
【００６１】
次にＲＦＩＤタグ６０１の構成及び動作概略について説明する。図６は、ＲＦＩＤタグ６０１を埋め込んだ記録媒体およびタブ付き記録媒体の構成図である。本ＲＦＩＤタグ６０１は図７に示すように、データを記憶するため電源が切れてもデータを失わないＥＥＰＲＯＭ等のメモリ６０２を有している。メモリ６０２は容量に応じたアドレスを有しており、アドレス毎に１６ビットのデータ記憶部が構成されている。メモリ制御部６０３は、コイル６０５からのデータを変復調部６０４を介して送られてきたリーダからのコマンドに従ってメモリ６０２に対して、データの読み出し、書き込み等を行う。
【００６２】
メモリ制御部６０３は、変復調部６０４から送信されるコマンドに従ってメモリ６０２のリード制御を行う。
【００６３】
電源回路６０６は外部からの電磁誘導によるコイル６０７からの誘導起電力により、ＲＦＩＤタグの回路に電力を供給している。ＲＦＩＤタグ６０１は図７に示す構成を１チップＩＣに集積している。
【００６４】
次に、図８と図９を用いて変復調部６０４から送信されるデータフォーマットの説明を行う。図８は、一般的なＥＥＰＲＯＭの制御とほぼ等価なメモリ６０２のリード制御の一例を示す図である。
【００６５】
図８は、読み出し時のデータフォーマットを示す。まず、不図示のリード回路（リード回路については後述する）から電力伝送波が送出されると、図７のコイル６０７がこの電力伝送波を受信し、電源回路６０６から誘導起電力が発生する。この誘導起電力によってＲＦＩＤタグ６０１に電源が供給されると、メモリ制御部６０３はコイル６０５から変復調部６０４を介して受信するシリアルデータＤＩを監視し、ビットが０から１に変移することを検出する。ＤＩの監視から最初の０から１への変移はスタートビットを示し、スタートビットから連続する２ビットのデータがコマンドデータとなる。図８ではデータの変移タイミングは、あらかじめ決められた周波数ｆで変移するよう不図示のリード回路とＲＦＩＤタグで回路構成してあるが、同期を確実にとれるように別途周期ｆで発振する同期クロックを発生させるようにしてもよい。図８では、コマンドデータが１、０となっており、これはリードコマンドを意味する。リードコマンドを受信したメモリ制御部６０３は、メモリ６０２をリードモードに制御し、メモリに格納されているデータをシリアルデータＤＯとしてメモリ制御部６０３に送出し、変復調部６０４を介して、コイル６０５より変調波を送出する。
【００６６】
メモリ６０２は、データが２０ビットの仕様なので１０４８５７６の識別番号を有することができる。ビット数を増やせば、より多くの識別番号を有することが出来るのは言うまでもない。
【００６７】
以上で、ＲＦＩＤタグの動作についての説明を終える。
【００６８】
次に、ＲＦＩＤデータを読み出すリーダ部の回路について説明する。
【００６９】
前述した、ＲＦＩＤタグ読み出し部２７３にはリード回路が実装されており、リード回路は、図９のような構成になっている。
【００７０】
リード回路に設けられたＲ／Ｗコイル（リーダまたは／およびライタコイル）１４０１と図７のＲＦＩＤ６０１に形成されたコイル６０５との間で、図１０に示す電力伝送波およびデータ通信変調波からなる電磁波（無線）を使って電力の伝送および通信の送受信の両方を行うが、電力伝送波と信号波とを各々別のアンテナにより送信しても問題はない。
【００７１】
図１０に示す２７．０２ＭＨｚの電力伝送波１５０１は、図７のコイル６０７によって受信され、ＲＦＩＤタグ６０１を駆動する電源を供給する。また、２７．０２ＭＨｚを中心周波数とするデータ通信変調波１５０２は図７のコイル６０５によって送受信されＲＦＩＤタグ６０１中のメモリ６０２に対してリードライトのアクセスを行う。
【００７２】
図９において、リード回路は、キャリア信号発生回路１４０２から発生する２７．０２ＭＨｚのキャリア信号を、ＲＦＩＤタグ６０１へ送信するデータを符号化する符号化回路１０４３と、上記２７．０２ＭＨｚの駆動信号に上記符号化回路１０４３で符号化された信号を振幅変調（Ａｍｐｌｉｔｕｄｅ  Ｓｈｉｆｔ  Ｋｅｙｉｎｇ変調：ＡＳＫ変調）により重畳させる変調器１４０４と、該変調器１４０４で２７．０２ＭＨｚの駆動信号上にＡＳＫ変調された信号を増幅する送信アンプ１４０５と、該送信アンプ１４０５で増幅された信号をインダクタンス結合１４０６により結合させ、コンデンサ１４０７を有してインピーダンスをマッチングさせて反射防止をするための整合回路（給電回路）１４０８と、該整合回路１４０８の出力に応じて電力の伝送及びデータの送信を行うべく電磁波を発生し、ＲＦＩＤのコイル６０５から電磁波によって送信されてきたデータを受信するコイル（リーダまたは／およびライタコイル）１４０１と、コイル（リーダまたは／およびライタコイル）１４０１で受信した信号を整合回路１４０８で整合させてインダクタンス結合１４０６により生じた信号からノイズ成分を取り除くフィルタ回路１４０９と、該フィルタ回路１４０９を通して得られる信号を増幅する受信アンプ１４１０と、該受信アンプ１４１０で増幅された信号を前述の２７．０２ＭＨｚの駆動信号を用いて復調する復調器１４１１と、該復調器１４１１で復調された信号を復号化して受信データとして出力する復号化回路１４１２とを備えている。
【００７３】
このように構成されたリード回路は、不図示のデータ処理部から送信される送信データを、コイル１４０１からＡＳＫ変調して発信、あるいはコイル１４０１から受信したＡＳＫ変調データを受信する。
【００７４】
以上でリード回路の説明を終了する。
【００７５】
次に、ＲＦＩＤ（６０１）に埋め込まれた記録媒体を使用しての画像形成動作（制御）に関する説明を図１２のフローチャートを用いて行う。
【００７６】
前述したように、記録媒体に埋め込まれたＲＦＩＤ６０１には、２０ビットで構成される識別番号が記憶されており、画像形成装置の電源が投入された（ｆ１２０１）後に、記録媒体が収納されたカセット２４０，２４１の近傍に配置された、データ読み出し部２７３により読み出す為の準備が行われる。ユーザは画像出力する原稿をセキュリティ文書にするかどうかを操作部（図１１）などを用いて設定を行い、プリントをスタートする（ｆ１２０２）。ｆ１２０３に進み、前記操作部からセキュリティ文書が指定されたかどうかを判別し、指定されていない時はＲＦＩＤが搭載されていない給紙段の記録媒体を給紙し、前記した画像形成動作を行う（ｆ１２０４）。
【００７７】
ｆ１２０３でセキュリティ文書の指定がされた場合は、オート設定であるかの判別を行う（ｆ１２０５）。これもユーザが操作部等から指定する。オート設定が指定されていない場合は、ユーザが指定した原稿（何枚目か）の画像形成時にはＲＦＩＤ付の記録媒体を給紙して画像形成を行う。それ以外はＲＦＩＤのない記録媒体上に画像形成を行う（ｆ１２０６、ｆ１２０７）。ＲＦＩＤ付の記録媒体の給紙時には前記した方法によりＲＦＩＤの識別番号を読み出す。読み出された識別番号と前記画像形成を行ったメモリに保存された原稿との関連付けを行い、さらにその情報をメモリに保存する（ｆ１２０８）。これにより、ＲＦＩＤの識別番号から原稿の検索が可能となる。
【００７８】
ｆ１２０５のオート設定でオートが指定された場合は、次に原稿が複数枚であるかどうかの判別を行う（ｆ１２０９）。複数枚原稿でない場合、すなわち一枚の原稿である場合はＲＦＩＤ付の記録媒体を給紙し、画像形成動作を行う（ｆ１２１０）。複数枚である場合はランダムにＲＦＩＤ付きの記録媒体を給紙して画像形成動作を行う。ランダムとは例えば、最終記録媒体であったり、奇数目であったり、偶数目であったりする。ｆ１２１０、ｆ１２１１共にＲＦＩＤ付の記録媒体への画像形成動作時には、前記した方法によりＲＦＩＤの識別番号を読み出す。読み出された識別番号と前記画像形成を行ったメモリに保存された原稿との関連付けを行い、さらにその情報をメモリに保存する（ｆ１２０８）。これにより、ＲＦＩＤの識別番号から原稿の検索が可能となる。
【００７９】
ｆ１２０８のＲＦＩＤ情報と画像データの関連付けをメモリに保存して画像形成動作を終了する。
【００８０】
次に図１３を用いて、ＲＦＩＤ付の原稿を画像形成する場合のフローを説明する。
【００８１】
画像形成装置の電源が投入された（ｆ１３０１）後に、複写するべく原稿が置かれる原稿読み取り部の近傍に配置されたＲＦＩＤデータリーダ部２１７によりデータを読み出すための準備が行われる。ユーザが原稿を読み取り部上にセットし操作部（図１１）等からプリントスタート（ｆ１３０２）が行われたら、原稿上のＲＦＩＤ情報（識別番号等）の読み込みを行う（ｆ１３０３）。その際にまず、ＲＦＩＤが搭載された原稿であるかどうかの判別を行う（ｆ１３０４）。ＲＦＩＤが非搭載の場合は原稿を前記したリーダ部から読み込み（ｆ１３０５）画像形成を行う（ｆ１３０６）。
【００８２】
ｆ１３０４でＲＦＩＤ付の原稿であった場合ははＲＦＩＤの識別番号と画像データの関連付けデータが保存されているメモリから情報を検索する（ｆ１３０７）。そこでまず、その画像が画像形成を行っても良い画像であるかの判別を行う（ｆ１３０８）。セキュリティ文書の設定がされていて、画像形成が禁止されている文書の場合は画像形成動作を停止し（ｆ１３０９）、その旨を操作部（図１２）などに表示して動作を終了する。ｆ１３０８で画像形成が許可されている場合は識別番号から検索された画像データをメモリから読み出し（ｆ１３１０）、前記した画像形成動作（ｆ１３１１）を行う。すべての画像形成が行われたら動作を終了する。メモリから読み出されて画像形成が行われた場合は画像劣化のない画像を得ることが出来る。
【００８３】
画像形成動作の際にＲＦＩＤ付き記録媒体を使用することで次回画像形成動作時からは前記画像形成を行うことが可能となり劣化のない画像を得ることが出来る。ＲＦＩＤ付き原稿時の場合は関連付けデータが更新される。
【図面の簡単な説明】
【００８４】
【図１】本発明を実施した画像形成部の制御ブロック図。
【図２】本発明を実施した画像形成装置の構成断面図。
【図３】本発明の画像形成装置のシステム全体の制御ブロック図。
【図４】画像形成装置の周辺装置の構成図。
【図５】画像処理部のブロック図。
【図６】記録媒体に実装されたＲＦＩＤタグの実装図。
【図７】ＲＦＩＤタグの構成図。
【図８】ＲＦＩＤのリード動作を示すタイミング図。
【図９】ＲＦＩＤに対して無線非接触によってリード制御を行うリード回路のブロック図。
【図１０】リード回路が発生する搬送波の概略をあらわす図。
【図１１】画像形成装置の操作部の操作面を示す図である。
【図１２】ＲＦＩＤ付き記録媒体を用いた画像形成動作のフローチャート。
【図１３】ＲＦＩＤ付きの原稿を画像形成する場合の動作フローチャート。
【符号の説明】
【００８５】
２１７  リーダ部
２４０  カセット
２４１  カセット
２７３  データ読み出し部
６０１  ＲＦＩＤタグ
６０２  メモリ
６０３  メモリ制御部
６０４  変復調部
６０５  コイル
６０６  電源回路
６０７  コイル
【図１】
2006243140.tif 000003
【図２】
2006243140.tif 000004
【図３】
2006243140.tif 000005
【図４】
2006243140.tif 000006
【図５】
2006243140.tif 000007
【図６】
2006243140.tif 000008
【図７】
2006243140.tif 000009
【図８】
2006243140.tif 000010
【図９】
2006243140.tif 000011
【図１０】
2006243140.tif 000012
【図１１】
2006243140.tif 000013
【図１２】
2006243140.tif 000014
【図１３】
2006243140.tif 000015